(57)【特許請求の範囲】
【請求項１】
地下水が流通可能な流通部を有する測定ケースと、
該測定ケース内に空気を供給する空気供給手段と、
該測定ケース内に設けられた測定部と、
該測定ケース内の流通部と該測定部にかけて浮遊可能に配設された電気絶縁体のフロートと、
該測定部の内周に、該測定部の横断面を平面とするＸ・Ｙ平面上のＸ軸とＹ軸上に位置して配設された２対の電極と、
Ｘ軸上に位置する１対の電極Ｘ１、Ｘ２とＹ軸上に位置する１対の電極Ｙ１、Ｙ２との間に、一定の電流を供給する定電流回路と、
該定電流回路からの電流供給時に各電極に流れる電流を検出すると共に、Ｘ軸上に位置する１対の電極Ｘ１、Ｘ２の電流値の差とＹ軸上に位置する１対の電極Ｙ１、Ｙ２の電流値の差とを演算して、該フロートの位置を示すＸ座標信号とＹ座標信号を発生するＸ・Ｙ座標信号発生手段と、
該Ｘ・Ｙ座標信号発生手段からのＸ座標信号とＹ座標信号に基づき、該フロートの移動方向と移動速度を演算する演算処理手段と、
を備え、
測定用の掘削孔内に、スクリーンを設けたケーシングパイプを挿入し、該ケーシングパイプの該スクリーンの内側に該測定ケースを挿入し、該演算処理手段が該Ｘ・Ｙ座標信号発生手段からのＸ座標信号とＹ座標信号に基づき、該フロートの移動方向と移動速度を演算して、地下水流の速度と方向を測定する地下水流測定装置であって、
該測定ケースは、カップ状の上ケースと下ケースが上下に配設され、該上ケースと下ケース間に複数の格子枠が地下水の流通部を形成するように連結され、該測定部は、該測定ケースの該下ケース内に、電気絶縁体であるカップ状の該下ケースによって周囲を囲われて形成されたことを特徴とする地下水流測定装置。
【請求項２】
地下水が流通可能な流通部を有する測定ケースと、
該測定ケース内に設けられた測定部と、
該測定ケース内の流通部と該測定部にかけて揺動自在に吊り下げられた電気絶縁物の揺動体と、
該測定部の内周に、該測定部の横断面を平面とするＸ・Ｙ平面上のＸ軸とＹ軸上に位置して配設された２対の電極と、
Ｘ軸上に位置する１対の電極Ｘ１、Ｘ２とＹ軸上に位置する１対の電極Ｙ１、Ｙ２との間に、一定の電流を供給する定電流回路と、
該定電流回路からの電流供給時に各電極に流れる電流を検出すると共に、Ｘ軸上に位置する１対の電極Ｘ１、Ｘ２の電流値の差とＹ軸上に位置する１対の電極Ｙ１、Ｙ２の電流値の差とを演算して、該揺動体の位置を示すＸ座標信号とＹ座標信号を発生するＸ・Ｙ座標信号発生手段と、
該Ｘ・Ｙ座標信号発生手段からのＸ座標信号とＹ座標信号に基づき、該揺動体の移動方向と移動速度を演算する演算処理手段と、
を備え、
測定用の掘削孔内に、スクリーンを設けたケーシングパイプを挿入し、該ケーシングパイプの該スクリーンの内側に該測定ケースを挿入し、該演算処理手段が該Ｘ・Ｙ座標信号発生手段からのＸ座標信号とＹ座標信号に基づき、該揺動体の移動方向と移動速度を演算して、地下水流の速度と方向を測定する地下水流測定装置であって、
該測定ケースは、カップ状の上ケースと下ケースが上下に配設され、該上ケースと下ケース間に複数の格子枠が地下水の流通部を形成するように連結され、該測定部は、該測定ケースの該下ケース内に、電気絶縁体であるカップ状の該下ケースによって周囲を囲われて形成されたことを特徴とする地下水流測定装置。
【発明の詳細な説明】
【０００１】
【発明の属する技術分野】
本発明は、地下水の流速や流向をフロートまたは揺動体の移動速度や方向により測定する地下水流測定装置に関する。
【０００２】
【従来の技術】
単孔式の地下水流測定方法として、従来、薬液や染料などのトレーサを測定ケース内に流入し、そのトレーサの流下方向や位置を測定して水流の流速や流向を測定するトレーサ方式、或は測定ケース内にビデオカメラを挿入し浮遊物を測定ケースに流入させてその動きを測定するカメラ法などが知られている。
【０００３】
しかし、ビデオカメラを使用するカメラ法は、装置が大形化すると共に、カメラの前方をライトにより明るく照明するため、ライトによって水温が部分的に上昇し、対流が発生して地下水流の正確な動きを測定しにくくする問題があった。
【０００４】
トレーサ方式は、現在、多く実施され、地下水流の動向をかなりの精度で測定することができるが、水流の動きが非常に遅いのに対し、トレーサ液を水中に放出することによって、水が不安定に移動したり、トレーサ液の拡散現象のため、高精度の地下水流の測定ができにくい問題があった。
【０００５】
また、トレーサ液を放出する方式は、一度トレーサ液を放出して測定を行った後、再度測定を行いたい場合には、測定ケースをボーリング孔から引き上げてトレーサ液を充填しなおす必要があり、連続した測定ができない課題があった。
【０００６】
そこで、本発明者らは、測定ケースを水中に入れ、その上部に空気層を形成した状態で、絶縁体のフロートを測定ケースの中央位置に浮遊させ、測定ケースの内周壁に９０度の間隔で４個の電極を配設し、測定ケース内におけるフロートの位置に応じて変化する隣接電極間の電気抵抗の変化に基づき、フロートの位置を経時的に測定し、地下水流によって動くフロートの方向と速度を、地下水流の流向と流速として測定する装置を開発した（特開平７−３３３３５３号公報等参照）。
【０００７】
【発明が解決しようとする課題】
このフロート式の地下水流測定装置では、一般に地下水流を測定する場合、先ず測定用の孔を掘削し、その掘削孔内に金属管製或は合成樹脂管製のケーシングパイプを挿入するが、ケーシングパイプには、地下水の流通を許容し、砂等の流入を止めるためにスクリーンが設けられる。
【０００８】
そして、ケーシングパイプ内に地下水流測定装置の測定ケースを挿入し、スクリーンの位置まで降ろした状態で、フロートを測定ケースの中央位置にセンタリングさせ測定を開始する。測定は、ケース内に設けた４個の隣接電極間の電気抵抗の変化を電流または電圧値として測定し、その電気抵抗の変化に基づき、フロートの位置を経時的に測定し、地下水流によって動くフロートの方向と速度を演算する。
【０００９】
このフロート式の地下水流測定装置は、ケース内に設けた４個の隣接電極間の電気抵抗の変化に基づいて地下水流の動きをフロートの動きにより測定するため、従来のように、薬液、染料、浮遊物等のトレーサが不要となり、また、ビデオカメラ等の設備を必要とせず、小形の装置で高精度に繰り返し地下水流の測定が可能であるが、４個の隣接電極間の電気抵抗の変化を捉えて地下水流を測定するため、測定ケースの外側に位置するスクリーンの材質や形状（開孔率）によって、少なからず測定誤差が生じ易い。
【００１０】
即ち、観測井用のケーシングパイプに設けられるスクリーンには、周囲に多数の丸孔を穿設したもの、スリット（縦孔）を穿設したもの、鉄線を巻装した構造のもの、水平連続Ｖスロット構造のもの、など各種のスクリーンが、現在使用されているが、これらの異なった構造のスクリーンを有するケーシングパイプを使用した場合、測定ケース内の電極間の電気抵抗がスクリーンの開孔率、材質によって変化し、地下水流の測定に少なからず誤差が生じる問題があった。
【００１１】
本発明は、上記の点に鑑みてなされたもので、測定ケースの外側に位置するスクリーンの形状や材質の影響を受けずに、正確に地下水流の測定を行なうことができる地下水流測定装置を提供することを目的とする。
【００１２】
【課題を解決するための手段】
上記目的を達成するために、本発明の地下水流測定装置は、地下水が流通可能な流通部を有する測定ケースと、測定ケース内に空気を供給する空気供給手段と、測定ケース内に設けられた測定部と、測定ケース内の流通部と測定部にかけて浮遊可能に配設された電気絶縁体のフロートと、測定部の内周に、測定部の横断面を平面とするＸ・Ｙ平面上のＸ軸とＹ軸上に位置して配設された２対の電極と、Ｘ軸上に位置する１対の電極Ｘ１、Ｘ２とＹ軸上に位置する１対の電極Ｙ１、Ｙ２との間に、一定の電流を供給する定電流回路と、定電流回路からの電流供給時に各電極に流れる電流を検出すると共に、Ｘ軸上に位置する１対の電極Ｘ１、Ｘ２の電流値の差とＹ軸上に位置する１対の電極Ｙ１、Ｙ２の電流値の差とを演算して、フロートの位置を示すＸ座標信号とＹ座標信号を発生するＸ・Ｙ座標信号発生手段と、Ｘ・Ｙ座標信号発生手段からのＸ座標信号とＹ座標信号に基づき、フロートの移動方向と移動速度を演算する演算処理手段と、を備え、測定用の掘削孔内に、スクリーンを設けたケーシングパイプを挿入し、ケーシングパイプのスクリーンの内側に測定ケースを挿入し、演算処理手段がＸ・Ｙ座標信号発生手段からのＸ座標信号とＹ座標信号に基づき、フロートの移動方向と移動速度を演算して、地下水流の速度と方向を測定する地下水流測定装置であって、測定ケースは、カップ状の上ケースと下ケースが上下に配設され、上ケースと下ケース間に複数の格子枠が地下水の流通部を形成するように連結され、測定部は、測定ケースの下ケース内に、電気絶縁体であるカップ状の下ケースによって周囲を囲われて形成されたことを特徴とする。
【００１３】
【発明の作用・効果】
このような構成の地下水流測定装置では、地下水流の測定を行なう場合、ケーシングパイプ内に地下水流測定装置の測定ケースを挿入し、それをスクリーンの位置に達する位置まで下降させ、地下水中に測定ケースを水没させる。この状態で、空気供給手段により測定ケース内に空気を供給し、ケース内上部に所定の量の空気層を形成してケース内でフロートを浮遊状態とする。
【００１４】
そして、フロートを測定ケースの中央にセンタリングした状態から測定を開始し、定電流回路から測定部内の各電極に電流を供給する。定電流回路からの電流は、Ｘ軸上の２つの電極とＹ軸上の２つの電極に交互に供給され、そのときのＹ軸上の２つの電極とＸ軸上の２つの電極から得られる電流を検出する。
【００１５】
更に、Ｘ・Ｙ座標信号発生手段が、Ｘ軸上に位置する１対の電極Ｘ１、Ｘ２の電流値の差とＹ軸上に位置する１対の電極Ｙ１、Ｙ２の電流値の差とを演算して、フロートの位置を示すＸ座標信号とＹ座標信号を発生する。そして、演算処理手段がＸ・Ｙ座標信号発生手段からのＸ座標信号とＹ座標信号に基づき、フロートの移動方向と移動速度を演算する。
【００１６】
このように、既設の井戸に測定ケースを挿入した状態で、繰り返し地下水流の測定を行なうことができる。また、地下水流の測定は、測定部内でフロートの位置を、隣接する電極間の電気抵抗の変化に基づき測定する、つまり、２対の電極間に電流を交互に供給した際の隣接する電極の電流値を検出し、更にそれらの電流値の差を演算してフロートの位置を求めるが、そのような電流を流して測定する測定部が、電気絶縁体でカップ状に形成された下ケースによって周囲を囲われて形成されているため、測定ケースの周囲に配設されるケーシングパイプやそこに装着されるスクリーンの形状や材質の影響を受けずに、誤差のない正確な測定を行なうことができる。これにより、どのような形状や材質のスクリーンを持った井戸であっても、地下水流を正確に測定することができる。
【００１７】
【発明の実施の形態】
以下、本発明の実施の形態を図面に基づいて説明する。図１は地下水流測定装置の測定部の斜視図を示し、図２はその断面図を、図３は測定装置のブロック構成図を示している。１は測定ケースであり、図２に示すように、掘削孔内に挿入されたケーシングパイプ２０内に挿入するための挿入用管２４の下端に取付けられる。
【００１８】
測定ケース１は、カップ状の上ケース４と下ケース５を上下に配設し、その上下ケース４、５間を、数本の格子枠３で連結して構成される。格子枠３の部分が地下水の流通可能な流通部となり、上部がフロート２を中央に戻すセンタリング部となり、下部の下ケース５の部分が流向、流速を測定する測定部となる。測定ケース１の上部には、上ケース４内に空気を入れるための空気管７が接続される。
【００１９】
測定ケース１内に電気絶縁体のフロート２がフリーの状態で配置される。このフロート２は、例えばポリプロピレン樹脂等により円柱状に形成され、内部に密閉された空気室２ａを設けることにより、図２のように、測定ケース１内の水中で、立てた状態で浮遊する。また、水の流通部に位置するフロート２の中間部は、大径部として水の抵抗を受けて共に移動し易くし、フロート２の上端（空気層に突き出す部分）は小径部として水の表面張力を受けにくくしている。また、測定部となるフロート２の下端部は、中径部とされ、水の抵抗を受けにくく、且つフロートの位置変化に応じて電極間に流れる電流にある程度の大きさの変化が生じるようにしている。
【００２０】
そのフロート２の大径部の上部に、フロートセンタリング用の導体６が固定される。導体６としては、短いパイプ状或は円板状の銅やアルミニウム等、非磁性体の良導電体が良好である。
【００２１】
さらに、導体６の周囲位置の上ケース４の内側には、センタリング用に、導体６に誘導電流を生じさせるための電磁誘導コイル８が巻装される。このコイル８の巻き径は例えば約３０〜４０mmとされ、約１０〜１００アンペアターンの電流が得られるように巻装される。電磁誘導コイル８には、図示しない交流の電源回路が離れた位置に接続される。
【００２２】
測定部を構成する下ケース５内の内周部には、９０度の間隔で４個の電極Ｘ１、Ｘ２、Ｙ１、Ｙ２が取付けられ、これら４個の電極は下ケース５の横断面を平面とするＸ・Ｙ平面上のＸ軸とＹ軸上に位置する。下ケース５は合成樹脂等の電気絶縁物から形成され、電極Ｘ１、Ｘ２、Ｙ１、Ｙ２の外側を有効に囲う。これにより、絶縁体の下ケース５内に配設される電極間に流れる電流が、その外周に位置する金属製のケーシングパイプ２０やスクリーン２１等の影響を受けることが少なくなる。なお、下ケース５の底部は開口することもできる。
【００２３】
図３に示すように、各電極Ｘ１、Ｘ２、Ｙ１、Ｙ２はＸ・Ｙ切換回路１０に接続され、定電流回路１１が、このＸ・Ｙ切換回路１０を介してＸ軸上に位置する一対の電極Ｘ１、Ｘ２とＹ軸上に位置する一対の電極Ｙ１、Ｙ２との間に、交互に一定の電流を供給するように接続される。
【００２４】
Ｘ・Ｙ切換回路１０は、リレー回路、或はトランジスタのスイッチング回路等からなり、例えば１０〜５０Ｈｚ程度の周期で、電極Ｘ１、Ｘ２、Ｙ１、Ｙ２の電流供給側と電流検出側を各々切換え動作する。定電流回路１１では、水の導電率の変化を補正するため、及び電極の電気分解による誤差をなくすために、例えば２ｋＨｚの矩形波を出力する交流電源が使用される。
【００２５】
このＸ・Ｙ切換回路１０の出力側には、電極Ｙ１からの電流を出力する回路に、電流電圧変換回路１２ａが接続され、電極Ｙ２からの電流を出力する回路に、電流電圧変換回路１２ｂが接続され、電極Ｘ１からの電流を出力する回路に、電流電圧変換回路１２ｃが接続され、電極Ｘ２からの電流を出力する回路に、電流電圧変換回路１２ｄが接続される。
【００２６】
電流電圧変換回路１２ａ，１２ｂ，１２ｃ，１２ｄの出力側には、各々整流回路１３ａ，１３ｂ，１３ｃ，１３ｄが接続され、整流回路１３ａの出力側は、平滑回路を介して比較器１４ａの反転入力側に接続され、整流回路１３ｂの出力側は、平滑回路を介して比較器１４ａの非反転入力側に接続される。
【００２７】
また、整流回路１３ｃの出力側は、平滑回路を介して比較器１４ｂの反転入力側に接続され、整流回路１３ｄの出力側は、平滑回路を介して比較器１４ｂの非反転入力側に接続される。比較器１４ａは、電極Ｙ１の電流と電極Ｙ２の電流の差に対応した電圧を出力し、比較器１４ｂは、電極Ｘ１の電流と電極Ｘ２の電流の差に対応した電圧を出力する。
【００２８】
比較器１４ａと１４ｂの出力側にはマイクロコンピュータ１５が接続される。マイクロコンピュータ１５は、比較器１４ａ，１４ｂからの差電流Ｉｙ１、Ｉｙ２、Ｉｘ１，Ｉｘ２の各データを取り込み、所定の補正処理を行なった後、Ｘ・Ｙレコーダ１６にＸ座標信号とＹ座標信号を出力して、地下水流の方向をＸ・Ｙ座標上に記録させ、水流の方向（角度）と流速を演算し、その演算結果を表示器１７に数値表示する。
【００２９】
次に、上記構成の地下水流測定装置の動作を説明する。測定用の孔が掘削され、その掘削孔内にケーシングパイプ２０が挿入される。ケーシングパイプ２０には、地下水の流通を許容し、砂等の流入を止めるためにスクリーン２１が取り付けられ、地下水中に配置される。
【００３０】
地下水流の測定を行なう場合、ケーシングパイプ２０内に地下水流測定装置の測定ケース１を挿入し、それをスクリーン２１の位置に達する位置まで降ろす。地下水中に水没した測定ケース１内には、格子枠３の周囲から地下水が流入し、ケース内に充満する。この状態で、空気管７から上ケース４内に空気を供給することにより、上ケース４内上部に所定の量の空気層を形成し、上ケース４内の水位を図２のように所定位置とする。このときのケース内の水位はケース内周面に設けた水位センサ９により検出される。
【００３１】
そして、フロートセンタリング装置の電源を投入し、交流電流を電磁誘導コイル８に供給する。すると、電磁誘導コイル８の周囲に磁界が発生し、このとき、電磁誘導コイル８の内側に位置するフロートの導体６には、その磁界によって生じる磁束の変化を打ち消す方向に誘導電流（うず電流）が発生する。また、この誘導電流と磁界の関係から、この導体には、フレミング左手の法則により、電磁誘導コイル８の中央に向う力が発生する。
【００３２】
このため、フロート２の導体６が測定ケース１の上ケース４つまり電磁誘導コイル８の中央に位置する場合、全ての方向から中央に向う均等な力を受け、フロート２は測定ケース１の中央位置に保持される。フロート２が測定ケース１内の何れかの側に偏位して位置する場合、導体６が電磁誘導コイル８の一部に近づくことになる。この場合、導体６がその部分から受ける磁束密度は大きくなり、導体６に生じる誘導電流が増加し、導体６に生じる力（中央方向の力）もその部分で増大する。このため、その増大した力により、導体６つまりフロート２は、偏位位置から中央に向う力を受け、測定ケース１の中央に戻される。
【００３３】
このように、フロート２を測定ケース１の中央にセンタリングした状態で、フロートセンタリング装置の電源をオフした後、測定を開始する。
【００３４】
測定開始と共に、定電流回路１１から測定部となる下ケース５内の各電極Ｘ１、Ｘ２、Ｙ１、Ｙ２に、交流の矩形電流が供給される。定電流回路１１からの電流は、図５、図６に示すように、電極Ｘ１、Ｘ２と電極Ｙ１、Ｙ２に交互に供給され、そのときの電極Ｙ１、Ｙ２と電極Ｘ１、Ｘ２から得られる電流が、各々の回路に接続された電流電圧変換回路１２ａ，１２ｂ，１２ｃ，１２ｄに送られる。
【００３５】
電流電圧変換回路１２ａ，１２ｂ，１２ｃ，１２ｄにより、電流信号は電圧信号に変換され、それらの電圧信号が整流回路１３ａ，１３ｂ，１３ｃ，１３ｄで直流電圧に変換される。そして、電極Ｙ１の電流Ｉｙ１に対応した電圧信号は比較器１４ａの反転入力に、電極Ｙ２の電流Ｉｙ２に対応した電圧信号は比較器１４ａの非反転入力に入力される。また、電極Ｘ１の電流Ｉｘ１に対応した電圧信号は比較器１４ｂの反転入力に、電極Ｘ２の電流Ｉｘ２に対応した電圧信号は比較器１４ｂの非反転入力に入力される。そして、比較器１４ａからは電流Ｉｙ１，Ｉｙ２の差に対応した差電圧が出力され、比較器１４ｂからは電流Ｉｘ１，Ｉｘ２の差に対応した差電圧が出力される。
【００３６】
例えば、図４に示すように、フロート２が電極Ｙ１方向に移動した場合、電極Ｘ１、Ｘ２よりみた電極Ｙ１の電気抵抗Ｒ１は、フロート２により電流が遮られるため、増大し、逆に、電極Ｘ１、Ｘ２よりみた電極Ｙ２の電気抵抗Ｒ２は、フロート２の影響が減少するため、減少する。同様に、フロート２が電極Ｘ１方向に移動した場合、電極Ｙ１、Ｙ２よりみた電極Ｘ１の電気抵抗Ｒ３は、フロート２により電流が遮られるため、増大し、逆に、電極Ｙ１、Ｙ２よりみた電極Ｘ２の電気抵抗Ｒ４は、フロート２の影響が減少するため、減少する。
【００３７】
ここで、抵抗Ｒ１等は、合成抵抗であるから、１／Ｒ１＝１／｛Ｒ（Ｘ１、Ｙ１）｝＋１／｛Ｒ（Ｘ２、Ｙ１）｝となり、抵抗Ｒ２は、１／Ｒ２＝１／｛Ｒ（Ｘ２、Ｙ２）｝＋１／｛Ｒ（Ｘ１、Ｙ２）｝となる。また、抵抗Ｒ３は、１／Ｒ３＝１／｛Ｒ（Ｘ１、Ｙ１）｝＋１／｛Ｒ（Ｘ１、Ｙ２）｝となり、抵抗Ｒ４は、１／Ｒ４＝１／｛Ｒ（Ｘ２、Ｙ２）｝＋１／｛Ｒ（Ｘ２、Ｙ１）｝となる。
【００３８】
したがって、図５に示すように、電源を電極Ｘ１、Ｘ２と電極Ｙ１、Ｙ２との間に接続して電流を供給し、電極Ｙ１に流れる電流Ｉｙ１と電極Ｙ２に流れる電流Ｉｙ２を測定し、電流Ｉｙ１とＩｙ２の差を求めれば、フロートのＹ軸方向の移動を測定することができる。同様に、図６に示す如く、電源を電極Ｘ１、Ｘ２と電極Ｙ１、Ｙ２との間に接続して電流を供給し、電極Ｘ１に流れる電流Ｉｘ１と電極Ｘ２に流れる電流Ｉｘ２を測定し、電流Ｉｘ１とＩｘ２の差を求めれば、フロートのＸ軸方向の移動を測定することができる。
【００３９】
上記のように、測定に使用される各電極Ｘ１、Ｘ２と電極Ｙ１、Ｙ２は、電気絶縁物である下ケース５内に配置され、その周囲を電気絶縁体で囲われることになるため、測定ケース１の外側に位置するケーシングパイプ２０やスクリーン２１が導電体であったとしても、その影響を受けることはなく、誤差のない正確な電流値を測定することができる。
【００４０】
マイクロコンピュータ１５は、比較器１４ａ，１４ｂからの差電流（Ｉｙ２−Ｉｙ１）と、差電流（Ｉｘ２−Ｉｘ１）に対応した各データを取り込み、所定の補正処理を行なった後、Ｘ・Ｙレコーダ１６にＸ座標信号とＹ座標信号を出力して、地下水流の方向をＸ・Ｙ座標上に記録させる。さらに、マイクロコンピュータ１５は、経時的なＸ座標信号とＹ座標信号の変化から、水流の方向（角度）と流速を演算し、その演算結果を表示器１７に数値表示する。
【００４１】
再び繰り返して測定する場合、フロートセンタリング装置を動作させて、フロート２を測定ケース１の中央位置に戻し、上記と同様に、電極Ｙ１、Ｙ２と電極Ｘ１、Ｘ２に交互に定電流を供給し、直交する側の電極Ｘ１、Ｘ２と電極Ｙ１、Ｙ２側から電流を測定し、その差電流を差電圧として取り出す。
【００４２】
このように、ボーリング孔、観測井、井戸等に測定ケース１を挿入した状態で、繰り返し地下水流の測定を行うことができる。また、トレーサ液等を水中に放出しないため、地下水がトレーサ液等の放出や熱により不安定に移動することがなく、高い精度で地下水流の動きを測定することができる。
【００４３】
なお、上記実施例では、フロート２を測定ケース１内で浮遊させ、地下水流の流れに応じて浮遊移動するフロート２の位置の変化を、４個の電極間に流れる電流値より測定したが、フロート２に代えてケース内中央に吊り下げた揺動体を使用することもできる。この場合、揺動体は、比重を１．０より若干重い例えば１．０２とする電気絶縁物（例えば合成樹脂）により、フロートと同様の棒状に形成し、糸で測定ケース内の上部からこの揺動体を吊り下げ、その下端を上記下ケース５内に位置させる。
【００４４】
そして、上記と同様、流通部を流れる地下水流に応じて揺動体を揺動・移動させ、下ケース５内に配置した４個の電極間に流れる電流値の変化により、移動体の位置を検出し、地下水流の動きを測定する。この場合も、測定開始時に、揺動体を中央に戻すセンタリング装置は、上記と同様に、揺動体の一部に導体を取り付け、その導体の周囲の測定ケース側に電磁誘導コイルを巻装し、電磁誘導コイルに電流を流すことにより、揺動体をセンタリングすればよい。
【図面の簡単な説明】
【図１】本発明の一実施形態を示す地下水流測定装置の斜視図である。
【図２】地下水流測定装置の断面図である。
【図３】地下水流測定装置の電気回路のブロック図である。
【図４】測定ケース内の電極と電気抵抗の基本的関係を示す説明図である。
【図５】電極Ｙ１とＹ２からの電流検出の説明図である。
【図６】電極Ｘ１とＸ２からの電流検出の説明図である。
【符号の説明】
１−測定ケース
２−フロート
３−格子枠
４−上ケース
５−下ケース
６−導体
７−空気管
Ｘ１、Ｘ２、Ｙ１、Ｙ２−電極
【図１】
0003880729.tif 000002
【図２】
0003880729.tif 000003
【図３】
0003880729.tif 000004
【図４】
0003880729.tif 000005
【図５】
0003880729.tif 000006
【図６】
0003880729.tif 000007